【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
端末装置と表示装置を有する表示システムであって、
前記端末装置は、
画像データから第１画像信号を生成する第１生成処理を実行するための第１画像処理手段と、
前記第１画像処理手段と、前記表示装置が有する第２画像処理手段とを制御する制御手段と、
を有し、
前記表示装置は、
前記画像データから第２画像信号を生成する第２生成処理を実行するための前記第２画像処理手段と、
前記第１画像信号および前記第２画像信号の少なくとも一方に基づいて表示画像信号を出力する出力手段と、
前記出力手段から出力された前記表示画像信号に基づいて画像を表示する表示手段と、
を有し、
前記端末装置と前記表示装置とが接続された場合に、前記出力手段は、前記第２画像処理手段が前記第２画像信号を生成するまで、前記表示画像信号として、前記第１画像信号を出力し、前記第２画像処理手段が前記第２画像信号を生成したことに応じて、少なくとも前記第２画像信号を含む前記表示画像信号を出力する
ことを特徴とする表示システム。
【請求項２】
前記第２画像処理手段は、前記第２生成処理と、前記第２生成処理の前に実行される前処理とを実行することが可能であり、
前記端末装置と前記表示装置とが接続された場合に、前記制御手段は、前記第１生成処理を実行するように前記第１画像処理手段を制御し、かつ、前記前処理および前記第２生成処理を実行するように前記第２画像処理手段を制御する
ことを特徴とする請求項１に記載の表示システム。
【請求項３】
前記端末装置と前記表示装置とが接続された場合に、前記制御手段は、前記第１画像処理手段および前記第２画像処理手段のいずれの画像処理手段を用いるかを判断し、
前記制御手段が前記第２画像処理手段を用いると判断した場合に、前記出力手段は、前記第２画像処理手段が前記第２画像信号を生成するまで、前記表示画像信号として、前記第１画像信号を出力し、前記第２画像処理手段が前記第２画像信号を生成したことに応じて、少なくとも前記第２画像信号を含む前記表示画像信号を出力する
ことを特徴とする請求項１または請求項２に記載の表示システム。
【請求項４】
前記制御手段は、前記第２画像処理手段の性能が、前記第１画像処理手段の性能よりも高い場合に、前記第２画像処理手段を用いると判断する
ことを特徴とする請求項３に記載の表示システム。
【請求項５】
前記端末装置から前記表示装置への前記第１画像信号の伝送と、前記制御手段が前記第２画像処理手段を制御するための情報の、前記端末装置から前記表示装置への伝送とは１本のケーブルを用いて行われる
ことを特徴とする請求項１乃至請求項４のいずれか１項に記載の表示システム。
【請求項６】
前記ケーブルは、Ｔｈｕｎｄｅｒｂｏｌｔ（登録商標）ケーブルである
ことを特徴とする請求項５に記載の表示システム。
【請求項７】
前記表示装置は、前記第２画像信号と、前記第１画像信号との同期をとる同期処理を行う同期手段をさらに有する
ことを特徴とする請求項１乃至請求項６のいずれか１項に記載の表示システム。
【請求項８】
前記出力手段は、前記第２画像処理手段が前記第２画像信号を生成したことに応じて、前記表示手段に表示される画像が、前記第１画像信号に基づく画像から、前記第２画像信号に基づく画像に徐々に変化するように、前記表示画像信号を出力する
ことを特徴とする請求項１乃至請求項７のいずれか１項に記載の表示システム。
【請求項９】
前記第１画像処理手段は、前記第２画像処理手段が前記第２画像信号を生成する際に使用する処理パラメータを用いて前記第１画像信号を生成する
ことを特徴とする請求項１乃至請求項８のいずれか１項に記載の表示システム。
【請求項１０】
前記処理パラメータは、画像信号の輝度特性と色特性の少なくともいずれかを決めるパラメータである
ことを特徴とする請求項９に記載の表示システム。
【請求項１１】
画像データから第１画像信号を生成する第１生成処理を実行するための第１画像処理手段と、
前記画像データから第２画像信号を生成する第２生成処理と、前記第２生成処理の前に実行される前処理とを実行するための第２画像処理手段を有する表示装置と接続するための接続手段と、
前記第１画像処理手段と、前記第２画像処理手段とを制御する制御手段と、
を有し、
前記表示装置に接続された場合に、前記制御手段は、前記第１生成処理を実行するように前記第１画像処理手段を制御し、かつ、前記前処理および前記第２生成処理を実行するように前記第２画像処理手段を制御する
ことを特徴とする端末装置。
【請求項１２】
前記端末装置と前記表示装置とが接続された場合に、前記制御手段は、前記第１画像処理手段および前記第２画像処理手段のいずれの画像処理手段を用いるかを判断し、
前記制御手段が前記第２画像処理手段を用いると判断した場合に、前記制御手段は、前
記第１生成処理を実行するように前記第１画像処理手段を制御し、かつ、前記前処理および前記第２生成処理を実行するように前記第２画像処理手段を制御する
ことを特徴とする請求項１１に記載の端末装置。
【請求項１３】
前記制御手段は、前記第２画像処理手段の性能が、前記第１画像処理手段の性能よりも高い場合に、前記第２画像処理手段を用いると判断する
ことを特徴とする請求項１２に記載の端末装置。
【請求項１４】
前記第１画像処理手段は、前記第２画像処理手段が前記第２画像信号を生成する際に使用する処理パラメータを用いて前記第１画像信号を生成する
ことを特徴とする請求項１１乃至請求項１３のいずれか１項に記載の端末装置。
【請求項１５】
前記処理パラメータは、画像信号の輝度特性と色特性の少なくともいずれかを決めるパラメータである
ことを特徴とする請求項１４に記載の端末装置。
【請求項１６】
画像データから第１画像信号を生成する第１生成処理を実行するための第１画像処理手段を有する端末装置と接続し、前記第１画像信号を取得する接続手段と、
画像データから第２画像信号を生成する第２生成処理を実行するための第２画像処理手段と、
前記第１画像信号および前記第２画像信号の少なくとも一方に基づいて表示画像信号を出力する出力手段と、
前記出力手段から出力された前記表示画像信号に基づく画像を表示する表示手段と、
を有し、
前記端末装置に接続された場合に、前記出力手段は、前記第２画像処理手段が前記第２画像信号を生成するまで、前記表示画像信号として、前記第１画像信号を出力し、前記第２画像処理手段が前記第２画像信号を生成したことに応じて、少なくとも前記第２画像信号を含む前記表示画像信号を出力する
ことを特徴とする表示装置。
【請求項１７】
前記第１画像信号と、前記第２画像信号との同期をとる同期処理を行う同期手段をさらに有する
ことを特徴とする請求項１６に記載の表示装置。
【請求項１８】
前記出力手段は、前記表示手段に表示される画像が、前記第１画像信号に基づく画像から、前記第２画像信号に基づく画像に徐々に変化するように、前記表示画像信号を出力する
ことを特徴とする請求項１６または請求項１７に記載の表示装置。
【請求項１９】
端末装置と表示装置を有する表示システムの制御方法であって、
前記端末装置は、
画像データから第１画像信号を生成する第１生成処理を実行するための第１画像処理手段と、
前記第１画像処理手段と、前記表示装置が有する第２画像処理手段とを制御する制御手段と、
を有し、
前記表示装置は、
前記画像データから第２画像信号を生成する第２生成処理を実行するための前記第２画像処理手段と、
前記第１画像信号および前記第２画像信号の少なくとも一方に基づいて表示画像信号
を出力する出力手段と、
前記出力手段から出力された前記表示画像信号に基づいて画像を表示する表示手段と、
を有し、
前記制御方法は、
前記端末装置と前記表示装置とが接続された場合に、前記出力手段が、前記第２画像処理手段が前記第２画像信号を生成するまで、前記表示画像信号として、前記第１画像信号を出力するステップと、
前記端末装置と前記表示装置とが接続された場合に、前記出力手段が、前記第２画像処理手段が前記第２画像信号を生成したことに応じて、少なくとも前記第２画像信号を含む前記表示画像信号を出力するステップと、
を有する
ことを特徴とする表示システムの制御方法。
【請求項２０】
画像データから第１画像信号を生成する第１生成処理を実行するための第１画像処理手段と、
前記画像データから第２画像信号を生成する第２生成処理と、前記第２生成処理の前に実行される前処理とを実行するための第２画像処理手段を有する表示装置と接続するための接続手段と、
前記第１画像処理手段と、前記第２画像処理手段とを制御する制御手段と、
を有する端末装置の制御方法であって、
前記端末装置と前記表示装置とが接続された場合に、前記制御手段が、前記第１生成処理を実行するように前記第１画像処理手段を制御するステップと、
前記端末装置と前記表示装置とが接続された場合に、前記制御手段が、前記前処理および前記第２生成処理を実行するように前記第２画像処理手段を制御するステップと、
を有することを特徴とする端末装置の制御方法。
【請求項２１】
画像データから第１画像信号を生成する第１生成処理を実行するための第１画像処理手段を有する端末装置と接続し、前記第１画像信号を取得する接続手段と、
画像データから第２画像信号を生成する第２生成処理を実行するための第２画像処理手段と、
前記第１画像信号および前記第２画像信号の少なくとも一方に基づいて表示画像信号を出力する出力手段と、
前記出力手段から出力された前記表示画像信号に基づく画像を表示する表示手段と、
を有する表示装置の制御方法であって、
前記端末装置と前記表示装置とが接続された場合に、前記出力手段が、前記第２画像処理手段が前記第２画像信号を生成するまで、前記表示画像信号として、前記第１画像信号を出力するステップと、
前記端末装置と前記表示装置とが接続された場合に、前記出力手段が、前記第２画像処理手段が前記第２画像信号を生成したことに応じて、少なくとも前記第２画像信号を含む前記表示画像信号を出力するステップと、
を有することを特徴とする表示装置の制御方法。
【手続補正２】
【補正対象書類名】明細書
【補正対象項目名】０００９
【補正方法】変更
【補正の内容】
【０００９】
本発明の第１の態様は、
端末装置と表示装置を有する表示システムであって、
前記端末装置は、
画像データから第１画像信号を生成する第１生成処理を実行するための第１画像処理手段と、
前記第１画像処理手段と、前記表示装置が有する第２画像処理手段とを制御する制御手段と、
を有し、
前記表示装置は、
前記画像データから第２画像信号を生成する第２生成処理を実行するための前記第２画像処理手段と、
前記第１画像信号および前記第２画像信号の少なくとも一方に基づいて表示画像信号を出力する出力手段と、
前記出力手段から出力された前記表示画像信号に基づいて画像を表示する表示手段と、
を有し、
前記端末装置と前記表示装置とが接続された場合に、前記出力手段は、前記第２画像処理手段が前記第２画像信号を生成するまで、前記表示画像信号として、前記第１画像信号を出力し、前記第２画像処理手段が前記第２画像信号を生成したことに応じて、少なくとも前記第２画像信号を含む前記表示画像信号を出力する
ことを特徴とする表示システムである。 
【手続補正３】
【補正対象書類名】明細書
【補正対象項目名】００１０
【補正方法】変更
【補正の内容】
【００１０】
本発明の第２の態様は、
画像データから第１画像信号を生成する第１生成処理を実行するための第１画像処理手段と、
前記画像データから第２画像信号を生成する第２生成処理と、前記第２生成処理の前に実行される前処理とを実行するための第２画像処理手段を有する表示装置と接続するための接続手段と、
前記第１画像処理手段と、前記第２画像処理手段とを制御する制御手段と、
を有し、
前記表示装置に接続された場合に、前記制御手段は、前記第１生成処理を実行するように前記第１画像処理手段を制御し、かつ、前記前処理および前記第２生成処理を実行するように前記第２画像処理手段を制御する
ことを特徴とする端末装置である。 
【手続補正４】
【補正対象書類名】明細書
【補正対象項目名】００１１
【補正方法】変更
【補正の内容】
【００１１】
本発明の第３の態様は、
画像データから第１画像信号を生成する第１生成処理を実行するための第１画像処理手段を有する端末装置と接続し、前記第１画像信号を取得する接続手段と、
画像データから第２画像信号を生成する第２生成処理を実行するための第２画像処理手段と、
前記第１画像信号および前記第２画像信号の少なくとも一方に基づいて表示画像信号を出力する出力手段と、
前記出力手段から出力された前記表示画像信号に基づく画像を表示する表示手段と、
を有し、
前記端末装置に接続された場合に、前記出力手段は、前記第２画像処理手段が前記第２画像信号を生成するまで、前記表示画像信号として、前記第１画像信号を出力し、前記第２画像処理手段が前記第２画像信号を生成したことに応じて、少なくとも前記第２画像信号を含む前記表示画像信号を出力する
ことを特徴とする表示装置である。 
【手続補正５】
【補正対象書類名】明細書
【補正対象項目名】００１２
【補正方法】変更
【補正の内容】
【００１２】
本発明の第４の態様は、
端末装置と表示装置を有する表示システムの制御方法であって、
前記端末装置は、
画像データから第１画像信号を生成する第１生成処理を実行するための第１画像処理手段と、
前記第１画像処理手段と、前記表示装置が有する第２画像処理手段とを制御する制御手段と、
を有し、
前記表示装置は、
前記画像データから第２画像信号を生成する第２生成処理を実行するための前記第２画像処理手段と、
前記第１画像信号および前記第２画像信号の少なくとも一方に基づいて表示画像信号を出力する出力手段と、
前記出力手段から出力された前記表示画像信号に基づいて画像を表示する表示手段と、
を有し、
前記制御方法は、
前記端末装置と前記表示装置とが接続された場合に、前記出力手段が、前記第２画像処理手段が前記第２画像信号を生成するまで、前記表示画像信号として、前記第１画像信号を出力するステップと、
前記端末装置と前記表示装置とが接続された場合に、前記出力手段が、前記第２画像処理手段が前記第２画像信号を生成したことに応じて、少なくとも前記第２画像信号を含む前記表示画像信号を出力するステップと、
を有する
ことを特徴とする表示システムの制御方法である。
【手続補正６】
【補正対象書類名】明細書
【補正対象項目名】００１３
【補正方法】変更
【補正の内容】
【００１３】
本発明の第５の態様は、
画像データから第１画像信号を生成する第１生成処理を実行するための第１画像処理手段と、
前記画像データから第２画像信号を生成する第２生成処理と、前記第２生成処理の前に実行される前処理とを実行するための第２画像処理手段を有する表示装置と接続するための接続手段と、
前記第１画像処理手段と、前記第２画像処理手段とを制御する制御手段と、
を有する端末装置の制御方法であって、
前記端末装置と前記表示装置とが接続された場合に、前記制御手段が、前記第１生成処理を実行するように前記第１画像処理手段を制御するステップと、
前記端末装置と前記表示装置とが接続された場合に、前記制御手段が、前記前処理および前記第２生成処理を実行するように前記第２画像処理手段を制御するステップと、
を有することを特徴とする端末装置の制御方法である。
【手続補正７】
【補正対象書類名】明細書
【補正対象項目名】００１４
【補正方法】変更
【補正の内容】
【００１４】
本発明の第６の態様は、
画像データから第１画像信号を生成する第１生成処理を実行するための第１画像処理手段を有する端末装置と接続し、前記第１画像信号を取得する接続手段と、
画像データから第２画像信号を生成する第２生成処理を実行するための第２画像処理手段と、
前記第１画像信号および前記第２画像信号の少なくとも一方に基づいて表示画像信号を出力する出力手段と、
前記出力手段から出力された前記表示画像信号に基づく画像を表示する表示手段と、
を有する表示装置の制御方法であって、
前記端末装置と前記表示装置とが接続された場合に、前記出力手段が、前記第２画像処理手段が前記第２画像信号を生成するまで、前記表示画像信号として、前記第１画像信号を出力するステップと、
前記端末装置と前記表示装置とが接続された場合に、前記出力手段が、前記第２画像処理手段が前記第２画像信号を生成したことに応じて、少なくとも前記第２画像信号を含む前記表示画像信号を出力するステップと、
を有することを特徴とする表示装置の制御方法である。